(57)【要約】【課題】手指の微細な感覚が低下している人であっても確実に一枚ずつ頁を捲ることができる書物を提供すること。【解決手段】複数枚の紙片３を一冊に綴じて成る書物Ｆにおいて、隣り合う紙片３，３相互を、綴じ部４近傍における上部域と下部域で交互に部分接着してある。部分接着５の左右方向の位置は「綴じ部４」と「文字、図画又は写真の配置域６」との間であり、部分接着５の上側の位置は「上下方向の中央ラインＬより上側」であり、部分接着５の下側の位置は「上下方向の中央ラインＬより下側」である。部分接着５は、紙片３の最上部近傍又は最下部近傍である。【選択図】図６
2008183894.tif 000002
【特許請求の範囲】
【請求項１】
複数枚の紙片を一冊に綴じて成る書物において、隣り合う紙片相互を、綴じ部近傍における上部域と下部域で交互に部分接着してあることを特徴とする書物。
【請求項２】
部分接着の左右方向の位置は「綴じ部」と「文字、図画又は写真の配置域」との間であり、部分接着の上側の位置は「上下方向の中央ラインより上側」であり、部分接着の下側の位置は「上下方向の中央ラインより下側」であることを特徴とする請求項１記載の書物。
【請求項３】
部分接着は、紙片の最上部近傍又は最下部近傍であることを特徴とする請求項１又は２記載の書物。
【請求項４】
部分接着は、１個であることを特徴とする請求項１乃至３のいずれかに記載の書物。
【請求項５】
紙片相互の部分接着の位置は、表面側から裏面側に向けて徐々に綴じ部から遠ざかるように設定してあることを特徴とする請求項１乃至４のいずれかに記載の書物。
【発明の詳細な説明】
【技術分野】  この発明は、文字や図画を書き、または印刷して一冊に綴じてなる書物に関するものである。
【背景技術】  小説や週刊・月刊誌等の書物は、自宅のみではなく例えば通勤時の車中等においても読まれているが、人が書物を読む場合、「開いた状態を維持する行為」と「頁（紙片）を捲る行為」とを交互に行なっている。
例えば右行から左行に向って読む書物の場合、（１）これまで読んだ頁を右手の拇指と他の四指で、残りの頁を左手の拇指と他の四指で、それぞれ挟み持って、左右の頁の文字を視認可能とすべく開いた状態を維持し、（２）前記左右の頁を読み終えると、図１１の実線から二点鎖線に示す如く左手の拇指のみを僅かに左側にずらして一枚の紙片（左頁）を開放状態にし、半捲れ状態になった紙片を右手の拇指により迎い入れて当該右手の拇指と他の四指で挟み持つようにしている。
ところが、従来の書物では、左手の拇指をずらす量を誤った場合には一度に二〜三枚の紙片が捲れたり、また紙片相互が静電付着している場合には紙片がうまく捲れないという問題がある。この問題については若い健常者であっても経験するところであるが、手指の微細な感覚が低下している読書が好きな高齢者や障害者にとっては非常に苦痛を感じるところである。
なお、上記問題を解決しようとして、頁の端縁が互い違いになっている書物が提案されている（特許文献１）が、この手段によると、紙片が薄いが故にかえって捲りにくくなると共に端縁が短期間で欠損するという事態を招くことが明らかである。
【特許文献１】実願平５−５８３３７
【発明の開示】
【発明が解決しようとする課題】  そこでこの発明は、手指の微細な感覚が低下している人であっても確実に一枚ずつ頁を捲ることができる書物を提供することを課題とする。
【課題を解決するための手段】  この請求項１記載の発明は、複数枚の紙片を一冊に綴じて成る書物において、隣り合う紙片相互を、綴じ部近傍における上部域と下部域で交互に部分接着してあることを特徴とする。
この請求項２記載の発明は、上記請求項１記載の発明に関し、部分接着の左右方向の位置は「綴じ部」と「文字、図画又は写真の配置域」との間であり、部分接着の上側の位置は「上下方向の中央ラインより上側」であり、部分接着の下側の位置は「上下方向の中央ラインより下側」であることを特徴とする。
この請求項３記載の発明は、上記請求項１又は２記載の発明に関し、部分接着は、紙片の最上部近傍又は最下部近傍であることを特徴とする。
この請求項４記載の発明は、上記請求項１乃至３記載のいずれかの発明に関し、部分接着は、１個であることを特徴とする。
この請求項５の発明は、上記請求項１乃至４のいずれかに記載の発明に関し、紙片相互の部分接着の位置は、表面側から裏面側に向けて徐々に綴じ部から遠ざかるように設定してある。
【発明の効果】  この発明は上述のような構成であり、次の効果を有する。
この発明の書物であると、手指の微細な感覚が低下している人であっても確実に一枚ずつ頁を捲ることができる。
【発明を実施するための最良の形態】  以下、この発明の実施の形態を、図面を参照して説明する。
【実施例１】  図１はこの発明の実施例の書物Ｆの正面図、図２は前記書物Ｆにおける綴じ部４付近の縦断面図、図３は前記書物Ｆを読むときの状態を示す略正面図、図４は前記書物の頁を捲るときの説明図、図５は前記頁を捲った後に書物Ｆを読むときの状態を示す略正面図、図６は再び頁を捲るときの説明図、図７は頁を捲った後に書物Ｆを読むときの状態の略正面図を示している。
この実施例の書物Ｆは以下のような構成である。
この実施例の書物Ｆは、図１や図２に示すように、表表紙・裏表紙１，２相互間に複数枚の紙片３を一冊に綴じて成るものであり、隣り合う紙片３，３相互を、綴じ部４近傍における上部域と下部域で交互に部分接着５してある。
ここで、上記部分接着５の左右方向の位置は、より具体的には「綴じ部４」と「文字、図画又は写真の配置域６（以下、文字配置域等６という）」との間であり、部分接着５の上側の位置は「上下方向の中央ラインＬより上側」であり、部分接着５の下側の位置は「上下方向の中央ラインＬより下側」であるものとしてある。また、この実施例では、図１や図２に示すように、部分接着５は、紙片３の最上部近傍又は最下部近傍であり、その個数は１個としてある。
次に、この実施例の書物Ｆ（右行から左行に向って読む書物）は、以下のように作用する。
この書物Ｆにおいても、「開いた状態を維持する行為」と「頁（紙片）を捲る行為」とを交互に行なわれるが、そのうち「頁（紙片）を捲る行為」におけるメカニズムが全く相違する。
（１）図３は、「開いた状態を維持する行為」をしている状態を示している。この状態では「文字配置域等６」のエリアには左右の親指は侵入しておらず、全ての文字等が読めるようになっている。なお、符号５に示したものは上述した如く部分接着５の部位であるが、この状態においては全く機能していない。
（２）図３の状態から図４に示す如く右手を矢印で示すように右側に移動する。すると、部分接着５の部位を介して右頁に接着されている左頁の上部が右側に引っ張られ、図４の二点鎖線に示す如き傾いて左手の拇指から左頁が外れていく（この際、捲れが生じる最初の一段階として綴じ部４近傍において空間Ｋが形成される）。この動作の継続によりに左側頁は図４の一点鎖線に示すように半捲れ状態になる。半捲れ状態になった紙片３を右手の拇指により迎い入れて当該右手の拇指と他の四指で挟み持ち、図５に示すように、書物Ｆを「開いた状態を維持する行為」となる。
（３）図５の状態から図６に示す如く右手を矢印で示すように右側に移動する。すると、部分接着５介して右頁に接着されている左頁の下部が右側に引っ張られ、図６の二点鎖線に示す如き傾き、左手の拇指から左頁が外れていく（この際、捲れが生じる最初の一段階として綴じ部４近傍において空間Ｋが形成される）。この動作の継続によりに左側頁は図４の一点鎖線に示すように半捲れ状態になる。半捲れ状態になった紙片３を右手の拇指により迎い入れて当該右手の拇指と他の四指で挟み持ち、図７に示すように、書物Ｆを「開いた状態を維持する行為」となる。
（４）上記（１）〜（３）を繰り返すことにより連続的に書物Ｆを読むことができる。
続いて、この実施例の書物Ｆは以上の如き作用を有することから、以下のように作用することが明らかである。
これまで読んだ頁を右手の拇指と他の四指で、残りの頁を左手の拇指と他の四指で、それぞれ挟み持って、左右の頁の文字を視認可能とすべく開いた状態を維持し、この状態から右手を右側に移動するだけで左側の一枚の紙片３０（左頁）は半捲れ状態になり、従来の如き、左手の拇指のみを僅かに左側にずらして一枚の紙片（左頁）を開放状態にするという繊細な作業は不要となる。
ここで、この書物Ｆでは、捲れが生じる最初の一段階として綴じ部４近傍において空間Ｋが形成されることから、紙片３，３相互が静電付着している場合であっても、紙片がうまく捲れないという事態は生じない。
したがって、この書物Ｆによると、健常者は勿論のこと、手指の微細な感覚が低下している人であっても確実に一枚ずつ頁を捲ることができる。
（５）続いてこの書物Ｆの構成では、例えば、机に書物Ｆを置いて本を読むような場合や、うつ伏せで横になりながら書物Ｆを読む場合において、右手（逆に捲る場合は左手）に障害を持っている人であっても円滑に頁を捲ることができる。
書物Ｆを「開いた状態を維持する行為」をとる場合には、図８に示すように、読んでいない残り紙片３は通常の持ち方（拇指と他の四指で挟む）をし、読み終えた紙片３については拳で押さえておく。書物の内容を読む場合、読むべき位置から拳を移動させるようにすればよい。
「頁（紙片）を捲る行為」をとる場合、図９に示すように、左右頁が部分接着５されている上部域近傍を拳で強めに押さえ付ける。すると、上記したと同様のメカニズムにより頁を円滑に捲ることができる。なお、続いて頁を捲る場合は、図１０に示すように、左右頁が接着している下部域近傍を押さえるようにすればよい。
（その他）
上記実施例の書物Ｆは、右行から左行に向って読むものであるが、当然のことながら、左から右側に読むものでもよい。
ここにいう書物Ｆは、文字や図画を書き、または印刷して一冊に綴じて成るものは全て含まれる。
また、書物Ｆの縦方向の寸法に対して、部分接着位置は適宜変更することができる。
更に、紙片３，３相互の部分接着５の位置は、書物の表面側から裏面側に向けて徐々に綴じ部４から遠ざかるように設定してあることが好ましい。これにより、厚みが大きい書物Ｆに対しても表面側から裏面側までの範囲において同様に円滑に頁を捲ることができる。
なお、この書物Ｆにおける従来の書物との相違点は、上述した如く隣り合う紙片３，３相互を綴じ部４近傍における上部域と下部域で交互に部分接着５してあるところであるが、この書物Ｆの製作において紙片３に対して部分接着５するための材料を塗布するタイミングは、紙片３に文字配置域等６を印刷する時点、または製本する直前に行なうとよい。
【図面の簡単な説明】
【図１】この発明の実施例の書物の正面図。
【図２】前記書物における綴じ部付近の縦断面図。
【図３】前記書物を読むときの状態を示す略正面図。
【図４】前記書物の頁を捲るときの説明図。
【図５】前記頁を捲った後に書物を読むときの状態を示す略正面図。
【図６】再び頁を捲るときの説明図。
【図７】頁を捲った後に書物を読むときの状態の略正面図。
【図８】拳により右頁を軽く押さえている状態を示す略正面図。
【図９】拳により右頁を強く押さえて頁を捲っている状態を示す略正面図。
【図１０】拳により右頁を強く押さえて頁を捲っている状態を示す略正面図。
【図１１】従来の書物の頁を捲る場合の説明図。
【符号の説明】
Ｆ      書物
１      表表紙
２      裏表紙
３      紙片
４      綴じ部
５      部分接着
６      文字配置域
【図１】
2008183894.tif 000003
【図２】
2008183894.tif 000004
【図３】
2008183894.tif 000005
【図４】
2008183894.tif 000006
【図５】
2008183894.tif 000007
【図６】
2008183894.tif 000008
【図７】
2008183894.tif 000009
【図８】
2008183894.tif 000010
【図９】
2008183894.tif 000011
【図１０】
2008183894.tif 000012
【図１１】
2008183894.tif 000013